(57)【要約】      （修正有）【課題】物品からの離脱性が向上したシート状非接触データキャリアを提供する。【解決手段】アンテナパターンとＩＣチップとを有するシート状絶縁基材１３１と、磁性層１３３と、シート状絶縁基材と磁性体層との間に設けられた第１の介在層１３２と、粘着層１１ａを介して該シート状絶縁基材上に積層配置され、かつ、該シート状絶縁基材を覆うように該シート状絶縁基材よりもかつ磁性層よりも大きな面積を有し、かつ、粘着層の裏側が印字可能面とされている被印字シート１１と、被印字シートを平面的に包含する形状および大きさを有し、かつ、被印字シートの粘着層のうちのシート状絶縁基材および磁性層に重ならない領域を介して被印字シートに固定されるように、磁性層上の側に積層配置された対向シート１２と、磁性層と対向シートとの間に設けられた第２の介在層１３５とを具備する。【選択図】図２
2008139501.tif 000002
【特許請求の範囲】
【請求項１】
アンテナパターンを層状に備えたシート状絶縁基材と、
前記アンテナパターンに接続して前記シート状絶縁基材上に設けられた、データを格納可能なＩＣチップと、
前記アンテナパターンに平面的に重なるように設けられた磁性層と、
前記シート状絶縁基材と前記磁性体層との間に設けられた、該シート状絶縁基材上に該磁性層を固定するための第１の介在層と、
前記シート状絶縁基材に対向する面に設けられた粘着層を介して該シート状絶縁基材上に積層配置され、かつ、該シート状絶縁基材を覆うように該シート状絶縁基材よりもかつ前記磁性層よりも大きな面積を有し、かつ、前記粘着層の裏側が印字可能面とされている被印字シートと、
前記被印字シートを平面的に包含する形状および大きさを有し、かつ、前記被印字シートの前記粘着層のうちの前記シート状絶縁基材および前記磁性層に重ならない領域を介して前記被印字シートに固定されるように、前記磁性層上の側に積層配置された対向シートと、
前記磁性層と前記対向シートとの間に設けられた、前記対向シート上に前記磁性層を固定するための第２の介在層と
を具備することを特徴とするシート状非接触データキャリア。
【請求項２】
前記対向シートが、平面的に、前記被印字シートとほぼ同じ形状および大きさであることを特徴とする請求項１記載のシート状非接触データキャリア。
【請求項３】
前記対向シートが、前記磁性層に対向する面と反対の側の面上に第２の粘着層を有し、
該第２の粘着層を介して前記対向シート上に積層配置された剥離紙をさらに具備すること
を特徴とする請求項１記載のシート状非接触データキャリア。
【請求項４】
前記対向シートが、樹脂シートであることを特徴とする請求項１記載のシート状非接触データキャリア。
【請求項５】
前記対向シートが、金属シートであることを特徴とする請求項１記載のシート状非接触データキャリア。
【請求項６】
前記磁性層が、非磁性の補強層を含むことを特徴とする請求項１記載のシート状非接触データキャリア。
【発明の詳細な説明】
【技術分野】
【０００１】
本発明は、保持されたデータを非接触で読み出し可能でかつ形状としてシート状に構成されたシート状非接触データキャリアに係り、特に、データキャリアとして用済み後の、物品からの離脱性向上に適するシート状非接触データキャリアに関する。
【背景技術】
【０００２】
近年、物品のタグ情報のキャリアとしてＩＣチップを使用した非接触データキャリア（ＩＣタグ、無線タグ、ＲＦＩＤなどとも言う。）が使用されている。非接触データキャリアの主たる構成要素は、データを保持するＩＣチップと、このＩＣチップに接続されたアンテナとである。アンテナを構成するために、シート状絶縁基材上に層状にアンテナパターンを形成した形態のものがある。このような非接触データキャリアは、ラベル様の外観を有しかつ容易に可撓性を持たせ得るので、例えば、物品を管理する目的でこの物品に貼り付けて使用する場合に向いている。
【０００３】
管理目的のラベルは、例えば、一定期間が過ぎると用済みとなり物品から剥離する（離脱させる）ことが多い。このとき、非接触データキャリアとしての特有の構成のため、剥離が容易でなく例えば剥離残りが生じるなどの不都合が発生しやすい。一例として、層状のアンテナパターンが物品の性質（例えば金属性であるなど）による特性影響を受けるのを避けるため、アンテナパターンに重なるように磁性層を備えた構成の非接触データキャリアがある。磁性層は、一般に、機械的に脆弱になりやすい。この結果、物品から非接触データキャリアたるラベルを剥離するときに、この磁性層の厚み中ほどで分断され引き剥がされてしまうような場合が生じ得る。
【０００４】
なお、シート状絶縁基材の構成として参考となるものには、下記特許文献１、２に開示のものがある。いずれも本願で開示するものとは、構成が異なる。
【特許文献１】実公昭５８−３４４５３号公報
【特許文献２】特開平１０−４９０５３号公報
【発明の開示】
【発明が解決しようとする課題】
【０００５】
本発明は、保持されたデータを非接触で読み出し可能でかつ形状としてシート状に構成されたシート状非接触データキャリアにおいて、データキャリアとして用済み後の、物品からの離脱性向上が可能なシート状非接触データキャリアを提供することを目的とする。
【課題を解決するための手段】
【０００６】
上記の課題を解決するため、本発明に係るシート状非接触データキャリアは、アンテナパターンを層状に備えたシート状絶縁基材と、前記アンテナパターンに接続して前記シート状絶縁基材上に設けられた、データを格納可能なＩＣチップと、前記アンテナパターンに平面的に重なるように設けられた磁性層と、前記シート状絶縁基材と前記磁性体層との間に設けられた、該シート状絶縁基材上に該磁性層を固定するための第１の介在層と、前記シート状絶縁基材に対向する面に設けられた粘着層を介して該シート状絶縁基材上に積層配置され、かつ、該シート状絶縁基材を覆うように該シート状絶縁基材よりもかつ前記磁性層よりも大きな面積を有し、かつ、前記粘着層の裏側が印字可能面とされている被印字シートと、前記被印字シートを平面的に包含する形状および大きさを有し、かつ、前記被印字シートの前記粘着層のうちの前記シート状絶縁基材および前記磁性層に重ならない領域を介して前記被印字シートに固定されるように、前記磁性層上の側に積層配置された対向シートと、前記磁性層と前記対向シートとの間に設けられた、前記対向シート上に前記磁性層を固定するための第２の介在層とを具備することを特徴とする。
【０００７】
すなわち、このシート状非接触データキャリアは、シート状絶縁基材を有してこのシート状絶縁基材にアンテナパターンが層状に備えられ、さらに、アンテナパターンに接続してＩＣチップがシート状絶縁基材上に設けられている。このようなシート状絶縁基材が、被印字シート、シート状絶縁基材、第１の介在層、磁性層、第２の介在層、対向シートの順の積層構造の一部になっている。ここで、対向シートは、被印字シートを平面的に包含する形状および大きさを有している。被印字シートは、シート状絶縁基材を覆うように該シート状絶縁基材よりもかつ磁性層よりも大きな面積を有していて、被印字面の裏側は粘着層である。
【０００８】
このような構成のシート状非接触データキャリアは、対向シートの開放された側の面が物品に貼り付ける面として供せられ得る。物品からこのシート状非接触データキャリアを剥がす場合には、最も大きい形状および面積の対向シートにおいて、その端部に剥離する力が加えられるため、例えば磁性層にはその厚み中ほどに引き剥がす力は印加されず、分断による剥し残りの発生がなくなる。
【発明の効果】
【０００９】
本発明によれば、保持されたデータを非接触で読み出し可能でかつ形状としてシート状に構成されたシート状非接触データキャリアにおいて、データキャリアとして用済み後の、物品からの離脱性が向上できる。
【発明を実施するための最良の形態】
【００１０】
本発明の実施態様として、前記対向シートが、平面的に、前記被印字シートとほぼ同じ形状および大きさである、とすることができる。最低限このような対向シートであれば、物品から剥離する場合に、その端部に剥離する力が加えられる。よって、剥し残りの発生がなくなる。この態様では、被印字シートおよび対向シートに対して、所定の形状、大きさにする加工を例えば同時に行うことができる。これにより生産効率を向上できる。
【００１１】
また、実施態様として、前記対向シートが、前記磁性層に対向する面と反対の側の面上に第２の粘着層を有し、該第２の粘着層を介して前記対向シート上に積層配置された剥離紙をさらに具備する、とすることができる。対向シートの開放された面の側にあらかじめ粘着層を設けておくものである。剥離紙を剥すことで利便性よく物品に貼り付けることができる。
【００１２】
また、実施態様として、前記対向シートが、樹脂シートである、とすることができる。樹脂シートを用いることで、物品から引き剥がすときの破れを防止できる。
【００１３】
また、実施態様として、前記対向シートが、金属シートである、とすることができる。金属シートを用いることでも、物品から引き剥がすときの破れを防止できる。
【００１４】
また、実施態様として、前記磁性層が、非磁性の補強層を含む、とすることができる。あらかじめ磁性層を製造する場合には、例えば、このような補強層上に樹脂バインダ中に金属粉が分散された組成物を塗布する方法を採ることができる。
【００１５】
以上を踏まえ、以下では本発明の実施形態を図面を参照しながら説明する。図１は、本発明の一実施形態に係るシート状非接触データキャリアを示す構成図である。より具体的には、同図（ａ）は断面図、同図（ｂ）は、このシート状非接触データキャリアが剥離紙上に複数備えられている外観を示す斜視図である。図１（ａ）は、図１（ｂ）中のＡ−Ａａ位置における断面に相当する。図１（ａ）中の領域Ｂについては拡大して詳細を後述する。
【００１６】
図１（ｂ）に示すように、このシート状非接触データキャリア１０は、剥離紙２０上に複数備えられ得、物品に貼り付ける場合（＝使用する場合）には剥離紙２０から剥して対象物品（管理目的の対象物、例えば自転車、パソコンなど）上に貼り付けることができる。物品に貼り付けられる面とは反対側は被印字面にされており、文字情報などの必要な視覚情報をあらかじめまたは使用時に印刷あるいは手書きできる。
【００１７】
図１（ａ）に示すように、断面構造として大まかには３層構造になっており、上側の被印字シート１１と下側の対向シート１２との間に内蔵体１３が挟まれた構造である。内蔵体１３の大きさは、被印字シート１１、対向シート１２両者より小さく平面的に見たときに内蔵体１３のはみ出しはない。被印字シート１１と対向シート１２とは、同じ形状および大きさである。被印字シート１１の内面と内蔵体１３の上面との固定、および被印字シート１１の内面と対向シート１２の内面との固定のため、被印字シート１１の内面側には粘着層１１ａが設けられている。内蔵体１３の下面と対向シート１２の内面との固定は、内蔵体１３の下面側に設けられた粘着層（後述する粘着層１３５ｂ）による。
【００１８】
被印字シート１１、対向シート１２、内蔵体１３は、ともに可撓性を有しており、ある程度の曲率の曲面上に沿って非接触データキャリア１０を、対向シート１２の外面側に設けられた粘着層１２ａを介して貼り付ける場合に対応している。非接触データキャリア１０の厚みは最大部位で例えば０．６ｍｍないし０．７ｍｍ程度である。被印字シート１１、対向シート１２の材質は、例えばポリエステル系合成紙や、ポリプロピレン樹脂を主原料とする合成紙とすることができる。被印字シート１１および対向シート１２は同じ大きさなので、製造途上では、これらを所定の形状、大きさにする加工を例えば同時に行うことができる。これにより生産効率を向上できる。
【００１９】
図２は、図１に示したシート状非接触データキャリア１０の詳細を示す断面図である。図２において図１中に示したものと対応する部位には同一の符合を付している。図２に示すように、内蔵体１３は大まかに５層構造になっており、上側からシート状絶縁基材１３１、第１の介在層１３２、磁性層１３３、補強層１３４、第２の介在層１３５の積層構造である。
【００２０】
シート状絶縁基材１３１は、導電性で層状のアンテナパターンを有しており、さらに、このアンテナパターンに接続してデータを格納可能なＩＣチップをその表面上に備えている（詳しくは図３で後述する。）。シート状絶縁基材１３１の材質は、例えばポリエチレンテレフタレート（以下、ＰＥＴ）であり、アンテナパターンは例えばアルミニウムの層状パターンである。
【００２１】
介在層１３２は、シート状絶縁基材１３１上に磁性層１３３を固定するため介在させている。例えば、両面に粘着層１３２ａ、１３２ｂを備えた両面粘着シートを用いることができる。
【００２２】
磁性層１３３は、シート状絶縁基材１３１に設けられたアンテナパターンに平面的に重なるように設けられている。磁性層１３３は、図示下側に位置する貼り付け対象物が例えば金属部分を含むなどの場合にアンテナ特性への影響を避ける遮蔽層として機能する。磁性層１３３の下側には非磁性の補強層１３４がある。これは、例えば樹脂バインダ中に金属粉が分散された組成物を補強層１３４上に塗布・固化して磁性層１３３を層状に形成するときの基板であり、さらに、図示するような積層構造において機械的な補強の役割も有する。ただし、機械的補強の必要がなければ補強層１３４はなくても（あらかじめ取り去っておいても）よい。磁性層１３３と補強層１３４とを含めて広義には（必要機能的には）磁性層である。
【００２３】
磁性層１３３の厚さは例えば１００μｍ（例えば５０μｍのものを２層張り合わせて形成することができる。）とすることができる。補強層１３４の材質は例えばＰＥＴとすることができる。
【００２４】
介在層１３５は、対向シート１２上に、補強層１３４を含む磁性層１３３を固定するため介在させている。例えば、両面に粘着層１３５ａ、１３５ｂを備えた両面粘着シートを用いることができる。
【００２５】
図３は、図２中に示したシート状絶縁基材１３１の構成を示す平面図である。図３に示すように、シート状絶縁基材上１３１上のアンテナパターン１は、平面的に渦巻状に形成され、その外周端１ａ、内周端１ｂではシート状絶縁基材１３１を貫通する縦方向導電体に接続している。そして、これらの縦方向導電体はシート状絶縁基材１３１の裏面側のパターンにより電気的導通している。なお、シート状絶縁基材１３１は、アンテナパターン１の主たる側が設けられた面が、図２において上側面であっても下側面であってもよい（図２では上側面である）。
【００２６】
シート状絶縁基材１３１においてアンテナパターン１の例えば内周側では、その一部が除去され、その除去間に接続して、データを格納するためのＩＣチップ２が実装されている。つまり、ＩＣチップ２の一方の端子からアンテナパターン１を辿ってＩＣチップ２の他方の端子に至る電気的経路が形成されることになる。ＩＣチップ２の実装は、例えばフリップチップ接続によりなすことができる。なお、図示していないが、アンテナパターン１のほかにチップキャパシタやチップインダクタを実装するためのパターンを設け、所望のアンテナ特性を得るためこのパターンを利用して適宜これらのチップを実装するようにしてもよい。
【００２７】
ＩＣチップ２は、その内部構成として、データを格納するメモリ部と、アンテナへの外部からの電波の照射およびその情報に反応してメモリの内容をアンテナを介して外部に出力する制御部とを有する。制御部は、上記のアンテナパターン１に接続されている。
【００２８】
以上説明のシート状非接触データキャリア１０によれば、対向シート１２を設けたことにより以下の効果がある。すなわち、対向シート１２は、被印字シート１１を平面的に包含する形状および大きさを少なくとも有している。被印字シート１１は、シート状絶縁基材１３１を覆うように該シート状絶縁基材１３１よりもかつ磁性層１３３よりも大きな面積を有していて、被印字面の裏側は粘着層１１ａである。物品からこのシート状非接触データキャリア１０を剥がす場合には、対向シート１２において、その端部に剥離する力が加えられるため、例えば磁性層１３３にはその厚み中ほどに引き剥がす力は印加されず、分断による剥し残りの発生がなくなる。
【００２９】
換言すると、対向シート１２はシート状非接触データキャリア１０として物品に貼り付けるための必要不可欠な構成ではなく、この目的であれば、被印字シート１１の内面上に設けられた粘着層１１ａおよび内蔵体１３の下面側に設けられた粘着層１３５ｂで足りる。しかし、このように対向シート１２がない場合には、物品から剥がすときに機械的に脆弱な磁性層１３３においてその厚み中ほどで分断されて剥し残りが発生してしまう。このような剥し残りは見た目もよくない。
【００３０】
以上述べた実施形態の変形例としては、対向シート１２は、平面的に、被印字シート１１を包含するようなより大きな形状でもよい。この場合でも物品からこのシート状非接触データキャリア１０を剥がす場合には、最も大きい形状および面積の対向シート１２において、その端部に剥離する力が加えられる。
【００３１】
また、対向シート１２は、合成紙のシートとするほかに、樹脂シートや金属シートとすることもできる。樹脂シートや金属シートとすることで、物品から剥がす場合の破れをより防止することができ、さらに離脱性を向上できる。また金属シートの場合には、貼り付け対象の材質的な性質によりアンテナ特性が変動することをより防止できる。
【図面の簡単な説明】
【００３２】
【図１】本発明の一実施形態に係るシート状非接触データキャリアを示す構成図。
【図２】図１に示したシート状非接触データキャリアの詳細を示す断面図。
【図３】図２中に示したシート状絶縁基材の構成を示す平面図。
【符号の説明】
【００３３】
１…アンテナパターン、１ａ…アンテナパターンの外周端、１ｂ…アンテナパターンの内周端、２…ＩＣチップ、１０…シート状非接触データキャリア、１１…被印字シート、１１ａ…粘着層、１２…対向シート、１２ａ…粘着層、１３…内蔵体、２０…剥離シート、１３１…シート状絶縁基材、１３２…介在層、１３２ａ，１３２ｂ…粘着層、１３３…磁性層、１３４…補強層、１３５…介在層、１３５ａ，１３５ｂ…粘着層。
【図１】
2008139501.tif 000003
【図２】
2008139501.tif 000004
【図３】
2008139501.tif 000005